(57)【特許請求の範囲】
【請求項１】
トイレルーム内を暖めるためのヒータと、
前記ヒータを収納すると共に前記ヒータからの温風を排出する本体部排気口が形成された本体部と、
前記本体部を覆うと共に前記本体部排気口の位置にカバー部排気口が形成されたカバー部と、を有する機能部を備える便器装置であって、
前記本体部排気口に設けられ、略水平方向に延びる第１羽板部材が外側ほど下方に傾斜するように配置されると共に上下方向に所定の隙間を有して複数隣接して配置される第１ルーバー部と、
前記カバー部排気口に設けられ、略水平方向に延びる第２羽板部材が外側ほど下方に傾斜するように配置されると共に上下方向に所定の隙間を有して複数隣接して配置される第２ルーバー部と、を備え、
前記第１ルーバー部及び第２ルーバー部は、前記第２羽板部材同士の間の前記隙間を埋めるように、前記第１羽板部材と前記第２羽板部材とが重なって配置され、
前記第１羽板部材の傾斜角度と前記第２羽板部材の傾斜角度とは、略同一である便器装置。
【請求項２】
前記第２羽板部材は、外側に凸となる湾曲部を有する請求項１に記載の便器装置。
【請求項３】
前記第１羽板部材の外側の端部は、隣接する前記第２羽板部材の内側の端部よりも下方に配置される請求項１又は２に記載の便器装置。
【発明の詳細な説明】
【技術分野】
【０００１】
本発明は、便器装置に関する。
【背景技術】
【０００２】
従来、便器装置の後方に機能部を設けて、内部にヒータを配置し、トイレルーム内を暖めることが可能な便器装置が知られている。便器装置の周囲には、便器の洗浄や、手を洗うための水が飛沫となって飛びやすい。ヒータに水がかかると、電気回路がショートしたり、電子部品の機能に不備が生じる恐れがある。このため、温風の排気口に通気可能な水の進入防止部材を二重に設けて、温風を排出すると同時に外部からの水の進入を防止することが提案されている（例えば、特許文献１及び３参照）。
【０００３】
水の進入防止部材としては、横方向に配置された複数の羽板を有するルーバーの内側に、網を配置したものや（特許文献１及び２参照）、ルーバーの外側に、縦横の格子が形成された外カバーを配置したもの（特許文献３参照）等が提案されている。
【先行技術文献】
【特許文献】
【０００４】
【特許文献１】特開２００９−６２７３７号公報
【特許文献２】特開２００９−１６７５８８号公報
【特許文献３】特開２０１０−２０３０７０号公報
【発明の概要】
【発明が解決しようとする課題】
【０００５】
しかしながら、上記特許文献１〜３に記載の水の進入防止部材のみでは、ルーバーとその内側又は外側に設けた部材との間に隙間が存在するため、排気口から水が進入することを完全に防止することは困難だった。このため、ヒータの発熱部を機能部の外側面から内側に奥まった位置に配置されたり（特許文献１参照）、水の進入防止部材をヒータの発熱部から上下方向に離間させて配置させたり（特許文献３参照）していた。
【０００６】
ヒータの発熱部を機能部の奥側に配置すると、発熱部から機能部の排気口まで余分なスペースが必要となり、ヒータを小型化したり、又は機能部に他の機能を実行可能な部品を配置することが困難になるという問題があった。
【０００７】
本発明は、水の進入を防止するともに小型化が可能なヒータを備える便器装置を提供することを目的とする。
【課題を解決するための手段】
【０００８】
上記目的を達成するため本発明は、トイレルーム内を暖めるためのヒータ（例えば、後述のヒータ４）と、前記ヒータを収納すると共に前記ヒータからの温風を排出する本体部排気口（例えば、後述の本体部排気口５１０）が形成された本体部（例えば、後述の本体部５１）と、前記本体部を覆うと共に前記本体部排気口の位置にカバー部排気口（例えば、後述のカバー部排気口５２０）が形成されたカバー部（例えば、後述のカバー部５２）と、を有する機能部（例えば、後述の機能部５）を備える便器装置（例えば、後述の便器装置１）であって、前記本体部排気口に設けられ、略水平方向に延びる第１羽板部材（例えば、後述の第１羽板部材６１１）が外側ほど下方に傾斜するように配置されると共に上下方向に所定の隙間（例えば、後述の隙間６１０）を有して複数隣接して配置される第１ルーバー部（例えば、後述の第１ルーバー部６１）と、前記カバー部排気口に設けられ、略水平方向に延びる第２羽板部材（例えば、後述の第２羽板部材６２１）が外側ほど下方に傾斜するように配置されると共に上下方向に所定の隙間（例えば、後述の隙間６２０）を有して複数隣接して配置される第２ルーバー部（例えば、後述の第２ルーバー部６２）と、を備え、前記第１ルーバー部及び第２ルーバー部は、前記第２羽板部材同士の間の前記隙間を埋めるように、前記第１羽板部材と前記第２羽板部材とが重なって配置される便器装置を提供する。
【０００９】
また、前記第２羽板部材は、外側に凸となる湾曲部（例えば、後述の湾曲部６２３）を有することが好ましい。
【００１０】
また、前記第１羽板部材の外側の端部（例えば、後述の下端部６１１ｂ）は、隣接する前記第２羽板部材の内側の端部（例えば、後述の上端部６２１ａ）よりも下方に配置されることが好ましい。
【００１１】
また、前記第１羽板部材の傾斜角度と前記第２羽板部材の傾斜角度とは、略同一であることが好ましい。
【発明の効果】
【００１２】
本発明によれば、水の進入を防止するともに小型化が可能なヒータを備える便器装置を提供することができる。
【図面の簡単な説明】
【００１３】
【図１】本発明の一実施形態に係る便器装置を示す斜視図である。
【図２】上記実施形態の便器装置の上面図である。
【図３】図２のＡ−Ａ線部分断面図である。
【図４】上記実施形態のルーバー部を表す図であり、（ａ）図は斜視図であり、（ｂ）図は正面図である。
【図５】上記実施形態のルーバー部の断面の模式図である。
【発明を実施するための形態】
【００１４】
以下、本発明の一実施形態について、図面を参照しながら詳しく説明する。
図１は、本実施形態に係る便器装置１の斜視図である。便器装置１は、便器部２と、便蓋３と、便座７と、機能部５と、ルーバー部６と、を有する。
【００１５】
以下の説明においては、機能部５から便器装置１へと向う方向（図１の左下方向）を前方向とし、その反対方向を後方向とし、これらを前後方向と定義する。また、前後方向に交差する方向を左右方向と定義する。また、便器装置１の設置面を下方とし、この反対側を上方と定義する。
【００１６】
便器部２は、使用者が必要に応じて腰掛けて使用することのできる所謂洋式便器であり、環状の縁と下方に凹む凹部を備えている。便器部２は、例えば陶製である。
【００１７】
便蓋３は、便器部２の開口を覆う蓋であり、便器部２の上に載置された便器装置１に対して回動可能に軸支される。
【００１８】
便座７は、便器部２の環状の縁の上に載置され、使用者が腰を掛ける座面となる部分である。便座７は、機能部５に回動可能に軸支されている。
【００１９】
図２は便器装置１の上面図である。図３は、図２のＡ−Ａ線部分断面図である。
図２に示すように、機能部５は、便器部２の後方に配置され、本体部５１と、カバー部５２と、排気口５３と、ヒータ４と、を有する。
【００２０】
本体部５１は、便器装置１の配置されるトイレルームを暖めたり、便座７を温めたり、便器部２を洗浄する等の各種機能を実行する機構を備えている。特に、機能部５は、トイレルームを暖めるためのヒータ４を収納している。
【００２１】
図３に示すように、ヒータ４は、本体部５１内において左右方向の一方の端部（図２における左端部）側に配置されている。ヒータ４は、ファン４１と、排気路４２と、発熱部４４と、吸気路４３（図２参照）とを有する。
ファン４１は、細かな羽根が円周状に配置されたシロッコファンであり、空気を吸入すると共にファン４１の円周の中心軸に交差する方向へ送風する。ファン４１は、機能部５の外側端部よりも奥（機能部５の内側）に配置される。
排気路４２は、ファン４１から送られた空気が通る流路である。
発熱部４４は、排気路４２に設けられる、コイル状に巻かれた発熱体である。発熱部４４は、排気路４２を流通する空気を。
吸気路４３は、排気路４２と壁を隔てて隣接し、排気路４２よりも機能部５の後方に位置する。吸気路４３は、ファン４１に吸引される外部からの空気が通る流路である。
【００２２】
カバー部５２は、本体部５１を覆うように配置され、本体部５１を収容するケーシングを構成している。
【００２３】
排気口５３は、機能部５の左右方向における端部に配置され、機能部５と外部との間で空気の出し入れを可能にする開口である。排気口５３は、本体部排気口５１０と、カバー部排気口５２０とを有する。
本体部排気口５１０は、ヒータ４の排気路４２に連続する開口であり、排気路４２を流通したヒータ４からの温風が排出される。
カバー部排気口５２０は、カバー部５２における本体部排気口５１０に向かい合う位置に形成される開口である。
【００２４】
図４はルーバー部６を示す図であり、図４（ａ）は斜視図であり、図４（ｂ）は正面図である。図５は、ルーバー部６の断面の模式図である。ルーバー部６は、機能部５の側面において、排気口５３を覆うように配置される矩形の通気部である。ルーバー部６は、第１ルーバー部６１と、第２ルーバー部６２と、を有する。
【００２５】
図４（ｂ）に示されるように、第２ルーバー部６２の幅方向（本体部５１の前後方向に沿う方向）の長さは、第１ルーバー部６１の幅方向の長さよりも長い。第１ルーバー部６１に隣接して、機能部５の後方側に、吸気路４３に吸引される空気から埃を除去するフィルタ９が配置されており、第２ルーバー部６２は、第１ルーバー部６１及びフィルタ９の両方を覆うように配置されている。
【００２６】
図３に戻って、第１ルーバー部６１は、本体部排気口５１０に設けられ、具体的には、ヒータ４の排気路４２に直交するように、本体部５１に固定されて取り付けられる。第１ルーバー部６１は、細長い板状の複数の第１羽板部材６１１を有し、複数の第１羽板部材６１１が互いに所定の隙間６１０を有して隣接して配置されることで形成されている。第１羽板部材６１１は、その長手方向が略水平方向に延び、ルーバー部６の幅方向に沿うように配置される。第１羽板部材６１１は、外側ほど下方に傾斜するように配置されている。
【００２７】
第２ルーバー部６２は、カバー部排気口５２０に設けられ、具体的には、第１ルーバー部６１に向かい合うようにカバー部５２に固定されて取り付けられる。第２ルーバー部６２は、細長い板状の複数の第２羽板部材６２１を有し、複数の第２羽板部材６２１が互いに所定の隙間６２０を有して隣接して配置されることで形成されている。詳細には、間をあけて配置される第１羽板部材６１１同士の隙間６１０の位置に、第２羽板部材６２１が配置されるよう、第１羽板部材６１１と第２羽板部材６２１とが、上下方向に沿って互い違いに配置されている。第２羽板部材６２１は、その長手方向が略水平方向に延び、ルーバー部６の幅方向（本体部５１の前後方向）に沿うように配置される。第２羽板部材６２１は、外側ほど下方に傾斜するように配置されている。
【００２８】
図３〜図４（ｂ）に示すように、第２羽板部材６２１は、断面視で幅方向における略中央部が上方に凸となるように湾曲する湾曲部６２３を有する。第１羽板部材６１１の外側の端部（下端部６１１ｂ）は、隣接する第２羽板部材６２１の内側の端部（上端部６２１ａ）よりも下方に配置されている。すなわち、図５に示すように、第１羽板部材６１１の下端部６１１ｂと第２羽板部材６２１の上端部６２１ａとは、ルーバー部６の断面視で、便器装置１の左右方向の位置が重なっている（図５の点線Ｃ参照）。また、第１羽板部材６１１の下端部６１１ｂと第２羽板部材６２１の上端部６２１ａとが上下方向に重なっている（図５のＡ参照）。なお、第１羽板部材６１１の上端部と、第２羽板部材６２１の下端部とも、上下方向に重なっている（図５のＢ参照）。第１羽板部材６１１の傾斜角度と、第２羽板部材６２１の傾斜角度とは、略同一に形成されている。
【００２９】
上述の通り、第１羽板部材６１１の下端部６１１ｂ及び第２羽板部材６２１の上端部６２１ａは、断面視で重なっており、第１ルーバー部６１及び第２ルーバー部６２が上下方向において互いに重なって配置されている。図４（ｂ）に示すように、第１羽板部材６１１及び第２羽板部材６２１が互い違いに配置されている。このように、第２羽板部材６２１同士の隙間６２０の奥には、第１羽板部材６１１が位置しているので、正面から見た状態では、第１ルーバー部６１と第２ルーバー部６２との間に隙間が形成されていない。
【００３０】
図４（ａ）に示すように、上下に隣接する第１羽板部材６１１同士、及び上下に隣接する第２羽板部材６２１同士の間には隙間６１０、６２０がそれぞれ形成されているので、ヒータ４から排出される温風は、隙間６１０、６２０を通って外部へ排出される。この際、第１羽板部材６１１の下端部６１１ｂが、第２羽板部材６２１の上端部６２１ａよりも下に配置されているため、排出される温風は第２羽板部材６２１にぶつかることなく、スムーズに排出される。
【００３１】
また、第２羽板部材６２１が湾曲部６２３を有しているぶん、流通する温風の流路に広がりが形成される。
【００３２】
また、第１羽板部材６１１の傾斜角度と、第２羽板部材６２１の傾斜角度とが、略同一に形成されているので、排気路４２を流通した温風は、隙間６１０から隙間６２０へ同じ角度で下方へ排出される。
【００３３】
本実施形態によれば、以下の効果が奏される。
本実施形態では、便器装置１を、トイレルーム内を暖めるためのヒータ４と、ヒータ４を収納すると共にヒータ４からの温風を排出する本体部排気口５１０が形成された本体部５１と、本体部５１を覆うと共に本体部排気口５１０の位置にカバー部排気口５２０が形成されたカバー部５２と、を有する機能部５を含んで構成した。また、本体部排気口５１０に設けられ、略水平方向に延びる第１羽板部材５６１１が外側ほど下方に傾斜するように配置されると共に上下方向に所定の隙間６１０を有して複数隣接して配置される第１ルーバー部６１と、カバー部排気口５２０に設けられ、略水平方向に延びる第２羽板部材６２１が外側ほど下方に傾斜するように配置されると共に上下方向に所定の隙間６２０を有して複数隣接して配置される第２ルーバー部６２と、を含んで構成した。第１ルーバー部６１及び第２ルーバー部６２を、前記第２羽板部材６２１同士の間の隙間６２０を埋めるように、第１羽板部材６１１と前記第２羽板部材６２１とを重ねて配置させた。
【００３４】
本実施形態によれば、カバー部５２側に設けられた第２ルーバー部６２の第２羽板部材６２１と、本体部５１側に設けられた第１ルーバー部６１の第１羽板部材６１１とが、第２羽板部材６２１同士の隙間６２０を埋めるように重ねて配置されているので、ルーバー部６の正面（便器装置１の側面）から見た場合に、第１羽板部材６１１と第２羽板部材６２１との間に隙間が形成されない。このため、機能部５の外部から内部への水の進入を防ぐことができる。さらに、第１ルーバー部６１及び第２ルーバー部６２により水の進入を防ぐことができるため、機能部５の内部に余計なスペースをとる必要がなく、ヒータ４の発熱部４４を第１ルーバー部６１と隣接して配置することが可能となり、ヒータ４を小型化することが可能になる。
【００３５】
また、便器装置１の便座をリフトアップして、使用者が便座７と便器部２との掃除をする際にも、第１ルーバー部６１が本体部排気口５１０に配置されているので、使用者が誤って本体部５１の内部に配置されたヒータ４に触れてしまうこともない。
【００３６】
また、第１羽板部材６１１及び第２羽板部材６２１が外側ほど下方に傾斜しているため、温風がトイレルームの下方に向けて排出される。暖かい空気は上昇するため、トイレルームが効率よく暖まる。
【００３７】
本実施形態によれば、第２羽板部材６２１を、外側に凸となる湾曲部６２３を含んで構成した。これにより、第２羽板部材６２１同士の隙間６２０を通過して排出される温風の風量を大きくとることができる。このため、第１羽板部材６１１と第２羽板部材６２１が上下方向において互いに重なるように配置されていても、良好に温風を排出することができる。
【００３８】
本実施形態によれば、第１羽板部材６１１の外側の端部である下端部６１１ｂを、隣接する第２羽板部材６２１の内側の端部である上端部６２１ａよりも下方に配置した。これにより、第１羽板部材６１１と第２羽板部材６２１とが、断面視において上下方向に重なることになり、上記と同様の効果を奏すると共に、ヒータ４の排気路４２から排出される温風が、第１羽板部材６１１同士の隙間６１０を通過し、第２羽板部材６２１の上端部６２１ａにぶつからずに外部へ排出されるため、乱流が発生せず、効率よく温風を排出させることができる。
【００３９】
本実施形態によれば、第１羽板部材６１１の傾斜角度と第２羽板部材６２１の傾斜角度とを、略同一に構成した。これにより、第１羽板部材６１１と、第２羽板部材６２１とが、同じ角度で傾斜するので、第１羽板部材６１１同士の隙間６１０及び第２羽板部材６２１同士の隙間６２０が連続し、温風がスムーズに排出される。第１羽板部材６１１の傾斜角度と第２羽板部材６２１の傾斜角度とが異なっていると、隙間６１０を通過する温風が、第２羽板部材６２１に遮られて乱流が発生することが想定されるが、本実施形態では、両者の傾斜角度が揃っているので、上記同様、乱流が発生せず、効率よく温風を排出させることができる。
【００４０】
なお、本発明は上記実施形態に限定されるものではなく、本発明の目的を達成できる範囲での変形、改良等は本発明に含まれる。
例えば、上記実施形態では、ヒータ４及び排気口５３は、機能部５の左右方向の端部に配置されているが、これに限られない。トイレルームを暖めることができれば、配置については制限されない。
【符号の説明】
【００４１】
１      便器装置
４      ヒータ
５      機能部
５１    本体部
５２    カバー部
６１    第１ルーバー部
６２    第２ルーバー部
５１０  本体部排気口
５２０  カバー部排気口
６１０、６２０  隙間
６１１  第１羽板部材
６２１  第２羽板部材
６２３  湾曲部
【図１】
0006529389.tif 000002
【図２】
0006529389.tif 000003
【図３】
0006529389.tif 000004
【図４】
0006529389.tif 000005
【図５】
0006529389.tif 000006